(57)【要約】【課題】光電ドアノブ構造の提供。【解決手段】本考案の光電ドアノブ構造は、主に、ドアノブ本体が鎖心を嵌組してなり、ドアノブ本体外端に、透光の水入りランプ部を設置する。下方に、静電式タッチモジュールを設置して、静電により作動する微動スイッチにより電源を起動して、発光素子を発光させる。これにより、ノブに接触すると、微動スイッチがタッチモジュールに発光素子を起動させ、発光素子の光線が水入りランプ部に伝達され、装飾作用以外に、施錠を開ける際の照明作用を提供する。【選択図】    図３
0003147047.tif 000002
【実用新案登録請求の範囲】
【請求項１】
光電ドアノブ構造であって、主に、ドアノブ本体が鎖心を嵌組してなり、前記ドアノブ本体は、透光の水入りランプ部、タッチモジュール、及び、連接座からなり、
前記透光の水入りランプ部は、流動液体を充填することができる透光の立体造形物で、前記ドアノブ本体前端に対応して設置されて、鎖心を被覆し、
前記タッチモジュールは、微動スイッチを嵌組して、電源部を起動し、発光素子を発光させる座体で、
前記連接座は中空容室を有する座体で、一端開口内に、前記タッチモジュールを容置して、前記透光の水入りランプ部下方に結合され、
これにより、前記ノブに接触すると、前記微動スイッチが前記タッチモジュールに前記発光素子を起動させ、前記発光素子の光線が前記水入りランプ部に伝達されることを特徴とする光電ドアノブ構造。
【請求項２】
前記透光の水入りランプ部内に低流動性の液体を充填することを特徴とする請求項１に記載の光電ドアノブ構造。
【請求項３】
前記透光の水入りランプ部の流動液体はラメ片を添加してもよいことを特徴とする請求項１に記載の光電ドアノブ構造。
【請求項４】
前記透光の水入りランプ部の流動液体はラメ粉を添加してもよいことを特徴とする請求項１に記載の光電ドアノブ構造。
【請求項５】
前記透光の水入りランプ部と前記鎖心は、取り外しできる鎖接方式で組み立てることを特徴とする請求項１に記載の光電ドアノブ構造。
【請求項６】
前記タッチモジュールは、更に、前記発光素子を制御して発光させる制御ユニットを有することを特徴とする請求項１に記載の光電ドアノブ構造。
【請求項７】
前記タッチモジュール中の発光素子は発光ダイオードであることを特徴とする請求項１に記載の光電ドアノブ構造。
【請求項８】
前記電源部は水銀電池であることを特徴とする請求項１に記載の光電ドアノブ構造。
【請求項９】
前記発光素子は前記鎖心周辺を環繞することを特徴とする請求項１に記載の光電ドアノブ構造。
【請求項１０】
前記制御ユニットは間隔的に前記発光素子を起動することを特徴とする請求項６に記載の光電ドアノブ構造。
【請求項１１】
前記制御ユニットは選択的に前記発光素子を起動することを特徴とする請求項６に記載の光電ドアノブ構造。
【考案の詳細な説明】
【技術分野】
【０００１】
本考案は光電ドアノブ構造に関するものであって、特に、使用者がロックを開ける時の補助照明用のドアノブ構造で、主に、軽い接触動作により電源を導通し、ドアノブ前端が発光し、照明と装飾を達成する光電ドアノブ構造に関するものである。
【背景技術】
【０００２】
深夜の帰宅し、鍵でドアの施錠を開ける時、暗いので、鍵を鍵穴に挿入するのが難しく、手探りで鍵穴の位置を確認して鍵を開けなくてはならない。しかし、このような時に、犯罪に巻き込まれることがあり、危険である。
【０００３】
よって、車輌のランプが消えた後等に数秒間照明を提供する設計があり、或いは、小型の懐中電灯を携帯する人もいるが、車で外出しない、或いは、懐中電灯を携帯していない時もあるので、不便である。
【考案の開示】
【考案が解決しようとする課題】
【０００４】
本考案の目的は、光電ドアノブ構造を提供し、上述の問題を改善することにある。
【課題を解決するための手段】
【０００５】
本考案の光電ドアノブ構造は、主に、ドアノブ本体が鎖心を嵌組してなり、ドアノブ本体外端に、透光の水入りランプ部を設置する。下方に、静電式タッチモジュールを設置して、静電により作動する微動スイッチにより電源を起動して、発光素子を発光させる。これにより、ノブに接触すると、微動スイッチがタッチモジュールに発光素子を起動させ、発光素子の光線が水入りランプ部に伝達され、装飾作用以外に、施錠を開ける際の照明作用を提供する。
【考案の効果】
【０００６】
本考案の光電ドアノブ構造により、ノブに接触すると、微動スイッチがタッチモジュールに発光素子を起動させ、発光素子の光線が水入りランプ部に伝達され、装飾作用以外に、施錠を開ける際の照明作用を提供することができる。
【考案を実施するための最良の形態】
【０００７】
図１は、本考案の光電ドアノブ構造の立体分解図であり、光電ドアノブは、ドアノブ本体A中央に鎖心Bを嵌組してなり、ドアノブ本体Aは、透光の水入りランプ部１、タッチモジュール２、及び、連接座３から構成される。
【０００８】
透光水入りランプ部１は、ドアノブ本体A前端に設置され、且つ、鎖心Bを被覆し、透光の立体透明造型で、内部は液体を有し、液体にラメ片やラメ粉を添加することができる。透光水入りランプ部１の外観は各種、使用者が握りやすい形状に設計する。
【０００９】
図２で示されるように、タッチモジュール２は電源部２１、微動スイッチ２２、制御ユニット２３、及び、発光素子２４を嵌組する座体で、透光水入りランプ部２下方に嵌組され、電源部２１は小体積設計で、水銀電池である。微動スイッチ２２は、主に、静電感応、或いは、軽い動作で電源部２１を導通させる。制御ユニット２３は間隔的起動、或いは、選択的起動に設計し、透光水入りランプ部１の方向に対応して設置し、鎖心B周辺を環繞する。
【００１０】
連接座３は、中空の容室３１を有する座体で、一端開口内にタッチモジュール２を容置する。
【００１１】
これにより、ドアノブに接触すると、静電や微振動により、微動スイッチ２２が電源部２１を起動し、発光素子２４が発光して、発光素子２４の光線が透光水入りランプ部１に伝達され、装飾作用以外に、施錠を開ける時の照明効果を提供する。
【００１２】
図３、及び、図４を参照すると、組み立て時、ドアノブ本体Aの中央部位に鎖心Bを嵌入し、連接座３が鎖心B外部に設置され、タッチモジュール２中の電源部２１、微動スイッチ２２、制御ユニット２３、及び、発光素子２４が、連接座３の中空容室３１内に設置され、且つ、発光素子２４は鎖心B周辺に環繞し、タッチモジュール２上方に透光の水入りランプ部１を嵌組し、水入りランプ部１がノブ本体A前端に設置されると共に、鎖心Bを被覆し、水入りランプ部１内に低流動性の液体を充填し、発光素子２４は水入りランプ部１方向に照射する。異なる水入りランプ部１に交換するのを容易にするため、水入りランプ部１と鎖心Bは取り外しできる鎖接方式で組み立てる。
【００１３】
本考案のノブをドア上面に取り付ける時、使用者は、水入りランプ部１、及び、連接座３に接触すると、僅かな力で、タッチモジュール２の微動スイッチ２２を作動させて、制御ユニット２３、及び、発光素子２３を起動し、発光素子２４が水入りランプ部１を照射し、鎖心Bの箇所を照らし、使用者は施錠動作が行いやすい。また、発光素子２４の照明は、所定数秒の間隔的起動に設定し、発光素子２４の光源が水入りランプ部１を経て、フリッカー効果を生成する。発光素子２４の発光効果は数秒後に停止し、使用者が、全体に触れると、発光動作を実行して、発光素子２４が光源を伝達し、全体が光り輝く。
【００１４】
本考案の光電ドアノブ構造は以下のような長所がある。１．本考案の光電ドアノブ構造は、タッチモジュールの微動スイッチにより、全体に軽く接触、或いは、静電を受けて、発光素子を起動し、発光させるので、とって本体に変化を生成し、装飾効果がある。２．本考案の光電ドアノブ構造は、発光素子が水入りランプ部を照射する時、鍵を開ける際の補助照明となる。
【図面の簡単な説明】
【００１５】
【図１】本考案の立体分解図である。
【図２】本考案のタッチモジュールを示す図である。
【図３】本考案の組み合わせ断面図である。
【図４】本考案のもう一つの実施例を示す図である。
【符号の説明】
【００１６】
透光の水入りランプ部１
タッチモジュール２
連接座３
電源部２１
微動スイッチ２２
制御ユニット２３
発光素子２４
中空の容室３１
ドアノブ本体A
鎖心B
【図１】
0003147047.tif 000003
【図２】
0003147047.tif 000004
【図３】
0003147047.tif 000005
【図４】
0003147047.tif 000006